(57)【要約】【課題】蓄電池に取手が取り付けられていない場合でも、蓄電池を安定した状態で効率よく運搬することができる蓄電池運搬冶具を提供する。【解決手段】蓄電池１を運搬するための蓄電池運搬冶具１０であって、蓄電池１に着脱可能に構成され蓄電池１に装着されたときに蓄電池１を支持する支持部１１と、支持部１１と接合され蓄電池１を運搬する作業者が把持する取手部１２と、を備える。【選択図】図３
2013020754.tif 000002
【特許請求の範囲】
【請求項１】
蓄電池を運搬するための蓄電池運搬冶具であって、
前記蓄電池に着脱可能に構成され該蓄電池に装着されたときに該蓄電池を支持する支持部と、
該支持部と接合され前記蓄電池を運搬する作業者が把持する取手部と、を備えることを特徴とする蓄電池運搬冶具。
【請求項２】
前記蓄電池は、略直方体状に形成されるとともに、対向する一対の側面にそれぞれ外方に突出する突出部が形成されていて、
前記支持部は、前記蓄電池の前記一対の側面を含む３つの側面に沿った平面視コの字状に形成され開口側から前記蓄電池に着脱可能な枠体と、該枠体に支持されて前記一対の突出部の下面と当接して該突出部を支持可能な一対の当接部材と、を備え、
前記取手部は、前記支持部が前記蓄電池を支持している状態における前記支持部および前記蓄電池の重心よりも前記枠体の前記開口側の位置で前記枠体に接合されていることを特徴とする請求項１に記載の蓄電池運搬冶具。
【請求項３】
前記蓄電池は、略直方体状に形成されるとともに、対向する一対の側面からそれぞれ外方に突出する一対の突出部が形成されていて、
前記支持部は、前記蓄電池の突出部の上方に配置可能な枠体と、該枠体に一方の端部が前記蓄電池の一対の側面に直交する鉛直面内において回動可能に支持されて他方の端部が前記一対の突出部の下面と当接して該突出部を支持可能な一対の当接部材と、を備え、
前記取手部は、前記枠体に接合されていることを特徴とする請求項１に記載の蓄電池運搬冶具。
【請求項４】
前記支持部は、開口された第１側部から内部に前記蓄電池が挿入可能な枠体と、該枠体に支持されて前記蓄電池の下面と当接して該蓄電池を支持可能な当接部材と、前記枠体の前記第１側部と対向する第２側部に設けられて該第２側部から前記蓄電池が脱落することを防止する脱落防止部材と、を備え、
前記取手部は、前記支持部が前記蓄電池を支持している状態の前記支持部および前記蓄電池の重心よりも前記枠体の前記第１側部側の位置で前記枠体に接合されていることを特徴とする請求項１に記載の蓄電池運搬冶具。
【請求項５】
前記当接部材は、前記枠体の前記第１側部側から前記第２側部側に向かって下方に傾斜していることを特徴とする請求項４に記載の蓄電池運搬冶具。
【発明の詳細な説明】
【技術分野】
【０００１】
本発明は、蓄電池を運搬するための蓄電池運搬冶具に関する。
【背景技術】
【０００２】
従来、踏切で使用される蓄電池を設置したり交換したりする場合、作業者が蓄電池を手で持って運搬している。踏切で使用される蓄電池は、その重量が約１５ｋｇ〜２７ｋｇもあるため、作業者が手で持って運搬することは大変な作業であった。
そして、蓄電池を手で持って運搬する場合、作業者は１つの蓄電池を体の前で両手で抱えることが多いため、足元の視界が悪くなるという問題や、複数の蓄電池を同時に運搬できないという問題がある。
これに対し、蓄電池を運搬しやすいように、作業者が運搬時に把持するための取手が設けられた蓄電池が開示されている（例えば特許文献１および２参照）。
また、特許文献３には、蓄電池を収容するための蓄電池用収容ケースが開示されており、作業者が運搬時に把持するための取手が設けられている。
【先行技術文献】
【特許文献】
【０００３】
【特許文献１】登録実用新案第３０４０７４６号公報
【特許文献２】特開昭６２−５２８５０号公報
【特許文献３】特開２００１−１９０４１号公報
【発明の概要】
【発明が解決しようとする課題】
【０００４】
しかしながら、特許文献１および２の蓄電池では、その上面に取手が設けられているため、蓄電池の上面に端子などの部材が多く取り付けられている場合、取手を取り付けることが困難である。
また、特許文献３の蓄電池収容ケースでは、蓄電池の上面に取手が取り付けられていることが前提であるため、蓄電池の上面に取手を取り付けることが困難な場合には適用できない。
【０００５】
本発明は、上述する問題点に鑑みてなされたもので、蓄電池に取手が取り付けられていない場合でも、蓄電池を安定した状態で効率よく運搬することができる蓄電池運搬冶具を提供することを目的とする。
【課題を解決するための手段】
【０００６】
上記目的を達成するため、本発明に係る蓄電池運搬冶具は、蓄電池を運搬するための蓄電池運搬冶具であって、前記蓄電池に着脱可能に構成され該蓄電池に装着されたときに該蓄電池を支持する支持部と、該支持部と接合され該蓄電池を運搬する作業者が把持する取手部と、を備えることを特徴とする。
【０００７】
本発明では、蓄電池に支持部を装着することで、作業者が取手部を把持して蓄電池を運搬することができるため、蓄電池に取手が取り付けられていない場合でも安定した状態で効率よく蓄電池を運搬することができる。
【０００８】
また、本発明に係る蓄電池運搬冶具では、前記蓄電池は、略直方体状に形成されるとともに、対向する一対の側面にそれぞれ外方に突出する突出部が形成されていて、前記支持部は、前記蓄電池の前記一対の側面を含む３つの側面に沿った平面視コの字状に形成され開口側から前記蓄電池に着脱可能な枠体と、該枠体に支持されて前記一対の突出部の下面と当接して該突出部を支持可能な一対の当接部材と、を備え、前記取手部は、前記支持部が前記蓄電池を支持している状態における前記支持部および前記蓄電池の重心よりも前記枠体の前記開口側の位置で前記枠体に接合されていてもよい。
【０００９】
このようにすることにより、蓄電池に支持部を装着することで、当接部材が突出部の下面と当接してこの突出部を支持するため、作業者が取手部を把持して持ち上げることにより、蓄電池を容易に運搬することができる。
また、枠体の開口から枠体の内部に蓄電池を挿入するように、枠体を横方向にスライドさせ、当接部材を突出部の下面に当接させれば蓄電池運搬冶具を蓄電池に容易に装着できるため、効率よく蓄電池を運搬することができる。
さらに、取手部は、支持部が前記蓄電池を支持している状態の支持部および蓄電池の重心よりも枠体の開口側の位置で枠体に接合されていることにより、開口側を内側にして作業者が取手部を把持して持ち上げると、支持部および蓄電池が枠体の内部側に傾斜するため、運搬中に蓄電池が枠体の開口から落下することを確実に防止することができる。
【００１０】
また、本発明に係る蓄電池運搬冶具では、前記蓄電池は、略直方体状に形成されるとともに、対向する一対の側面からそれぞれ外方に突出する一対の突出部が形成されていて、前記支持部は、前記蓄電池の突出部の上方に配置可能な枠体と、該枠体に一方の端部が前記蓄電池の一対の側面に直交する鉛直面内において回動可能に支持されて他方の端部が前記一対の突出部の下面と当接して該突出部を支持可能な一対の当接部材と、を備え、前記取手部は、前記枠体に接合されていてもよい。
【００１１】
このようにすることにより、蓄電池に支持部を装着することで、当接部材が突出部の下面と当接してこの突出部を支持するため、作業者が取手部を把持して持ち上げることにより、蓄電池を容易に運搬することができる。
また、枠体を蓄電池の上方に配置し、当接部材を回動させて突出部の下面に当接させれば蓄電池運搬冶具を蓄電池に容易に装着できるため、効率よく蓄電池を運搬することができる。
【００１２】
また、本発明に係る蓄電池運搬冶具では、前記支持部は、開口された第１側部から内部に前記蓄電池が挿入可能な枠体と、該枠体に支持されて前記蓄電池の下面と当接して該蓄電池を支持可能な当接部材と、前記枠体の前記第１側部と対向する第２側部に設けられて該第２側部から前記蓄電池が脱落することを防止する脱落防止部材と、を備え、前記取手部は、前記支持部が前記蓄電池を支持している状態の前記支持部および前記蓄電池の重心よりも前記枠体の前記第１側部側の位置で前記枠体に接合されていてもよい。
【００１３】
このようにすることにより、蓄電池を枠体の内部に挿入することで、当接部材が蓄電池の下面と当接して蓄電池を支持するため、作業者が取手部を把持して持ち上げることにより、蓄電池を容易に運搬することができる。
また、枠体の内部に蓄電池をスライドさせ、当接部材を蓄電池の下面に当接させれば蓄電池運搬冶具を蓄電池に容易に装着できるため、効率よく蓄電池を運搬することができる。
さらに、取手部は、支持部が蓄電池を支持している状態の支持部および蓄電池の重心よりも枠体の第１側部側の位置で枠体に接合されていていることにより、作業者が開口側（第１側部側）を内側にして取手部を把持して持ち上げると、第１側部よりも第２側部が下方に位置するように傾斜し、蓄電池が枠体の第２側部側に傾斜（）するため、脱落防止部材によって蓄電池が枠体から外れることを防止することができる。
【００１４】
また、本発明に係る蓄電池運搬冶具では、前記当接部材は、前記枠体の前記第１側部側から前記第２側部側に向かって下方に傾斜していることが好ましい。
【００１５】
このようにすることにより、蓄電池運搬冶具を蓄電池に装着し、第１側部を内側にして蓄電池とともに持ち上げると、蓄電池が枠体の第２側部側に傾くため、蓄電池が脱落防止部材に支持されるとともに、枠体から外れることを防止することができる。
また、蓄電池運搬冶具を蓄電池に装着するときに、蓄電池の下面を当接部材の傾斜に沿って滑らせればいいため、蓄電池運搬冶具を蓄電池に容易に装着することができる。
【発明の効果】
【００１６】
本発明によれば、蓄電池に支持部を装着することで、作業者が取手部を把持して蓄電池を運搬することができるため、蓄電池に取手が取り付けられていない場合でも安定した状態で効率よく蓄電池を運搬することができる。
【図面の簡単な説明】
【００１７】
【図１】本発明の第１実施形態による蓄電池の一例を示す図である。
【図２】本発明の第１実施形態による蓄電池運搬冶具の一例を示す斜視図である。
【図３】本発明の第１実施形態による蓄電池運搬冶具の蓄電池に装着された様子を示す斜視図である。
【図４】図３のＡ−Ａ線断面図である。
【図５】本発明の第２実施形態による蓄電池運搬冶具の一例を示す斜視図である。
【図６】本発明の第２実施形態による蓄電池運搬冶具の蓄電池に装着された様子を示す斜視図である。
【図７】図６のＢ−Ｂ線断面図である。
【図８】本発明の第３実施形態による蓄電池運搬冶具の一例を示す斜視図である。
【図９】本発明の第３実施形態による蓄電池運搬冶具の蓄電池に装着された様子を示す斜視図である。
【発明を実施するための形態】
【００１８】
（第１実施形態）
以下、本発明の第１実施形態による蓄電池運搬冶具について、図１乃至図４に基づいて説明する。
図１に示すように、本実施形態で用いる蓄電池１は、横幅寸法（図中の矢印Ａの方向の寸法）が奥行き寸法（図中の矢印Ｂの方向の寸法）よりも長い略直方体状に形成されている。ここで、図中の矢印Ａの方向を幅方向、矢印Ｂの方向を奥行き方向とし、幅方向に沿った面のうち一方を前面１ａ、他方を後面１ｂ、奥行き方向に沿った面を側面１ｃ，１ｄとして、以下説明する。
そして、蓄電池１の上面１ｅには、端子２などの部材が設けられている。
また、蓄電池１の側面１ｃ，１ｄには、水平に延びて外方に突出する突出部３が形成されている。
【００１９】
図２乃至図４に示すように、第１実施形態の蓄電池運搬冶具１０は、蓄電池１（図３および図４参照）を支持する支持部１１と、支持部１１と接合され蓄電池１を運搬する作業者（不図示）が把持する取手部１２と、を備えている。
支持部１１および取手部１２は、例えばステンレスなどの鋼材で形成されている。
【００２０】
支持部１１は、蓄電池１の後面１ｂおよびの一対の側面１ｃ，１ｄ（図３参照）に沿った平面視コの字状に形成された枠体１３と、枠体１３に支持されて蓄電池１の側面１ｃ，１ｄに形成された突出部３（図３および図４参照）の下面３ａと当接可能な一対の当接部材１４，１４と、を備えている。
【００２１】
枠体１３は、開口１３ａ（図２参照）側から内部に蓄電池１が挿入可能に構成されている。
当接部材１４は、枠体１３の下側に取り付けられていて、上端部１４ａが枠体１３に固定されて、下端部１４ｂに蓄電池１側に突出する当接部１５が形成されている。
そして、図４に示すように、当接部１５の上面１５ａが突出部３の下面３ａと当接するように構成されている。
【００２２】
図２乃至図４に示すように、取手部１２は、棒状の部材を正面視において下側が開口するコの字状に形成した部材で、水平方向にのびる中間部１２ａを把持するように構成され、両端部１２ｂ，１２ｂが枠体１３に接合されている。
そして、取手部１２は、支持部１１が蓄電池１に装着されたときの支持部１１および蓄電池１の重心の位置よりも枠体１３の開口１３ａ側の位置で枠体１３に接合されている。
【００２３】
本実施形態では、取手部１２の両端部１２ｂ，１２ｂが、枠体１３の奥行き方向の中央部よりも開口１３ａ（図２参照）側に取り付けられていて、取手部１２の両端部１２ｂ，１２ｂから枠体１３の開口１３ａ側の端部までの寸法ａが、取手部１２の両端部１２ｂ，１２ｂから枠体１３の開口１３ａ側と反対側の端部までの寸法ｂよりも短くなっている。
【００２４】
次に、第１実施形態による蓄電池運搬冶具１０を使用した蓄電池１の運搬方法について説明する。
まず、蓄電池運搬冶具１０を枠体１３の開口１３ａが蓄電池１の後面１ｂに対向するように設置し、蓄電池運搬冶具１０を蓄電池１側に水平にスライドさせる。このとき、当接部材１４の当接部１５が突出部３の下方に位置するように蓄電池運搬冶具１０の高さの調整を行う。
そして、蓄電池運搬冶具１０をスライドさせて枠体１３の内部に蓄電池１を挿入し、当接部材１４の当接部１５の上面１５ａと蓄電池１の突出部３の下面３ａとを当接させる。
【００２５】
続いて、取手部１２を把持して上方へ持ち上げる。
これにより、蓄電池１の突出部３が当接部材１４に係止されて持ち上げられるため、蓄電池運搬冶具１０とともに蓄電池１が持ち上がり運搬可能となる。
このとき、取手部１２が蓄電池運搬冶具１０および蓄電池１の重心よりも枠体１３の開口１３ａ側に取り付けられていることにより、持ち上げられた蓄電池運搬冶具１０および蓄電池１が、枠体１３の開口１３ａ側が内部側よりも上側となる向きに傾斜するため、蓄電池１が枠体１３の内部に確実に挿入され、運搬中に枠体１３の開口１３ａから外れることが防止される。
【００２６】
次に、上述した蓄電池運搬冶具１０の効果について説明する。
第１実施形態による蓄電池運搬冶具１０によれば、蓄電池１の突出部３の下面３ａと当接部材１４の当接部１５の上面１５ａとを当接させ、取手部１２を持ち上げることで、取手部１２を把持した状態で蓄電池１を運搬することができるため、効率的に蓄電池１を運搬することができる。
これにより、蓄電池１の重さによっては、片手に１つずつ蓄電池運搬冶具１０の取手部１２を把持して、２つの蓄電池１を運搬することができるため、さらに効率よく蓄電池１を運搬することができる。
【００２７】
また、運搬時に蓄電池運搬冶具１０および蓄電池１が枠体１３の内部側に傾斜し、蓄電池１が確実に枠体１３に支持されるため、運搬時に枠体１３から蓄電池１が外れることを防止することができる。
さらに、蓄電池運搬冶具１０は、蓄電池１に着脱可能であるため、蓄電池１に運搬用の取手が取り付けられていない場合でも、取手部１２を把持して効率よく運搬することができる。
【００２８】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図５乃至図７に示すように、第２実施形態による蓄電池運搬冶具２０は、蓄電池１（図６および図７参照）を支持する支持部２１と、支持部２１に接合された取手部２２とを備えている。
支持部２１は、蓄電池１の上面１ｅの外縁部に沿った平面視略長方形状に組まれた枠体２３と、枠体２３に回動可能に支持され蓄電池１の突出部３と当接可能な一対の当接部材２４，２４と、を備えている。
【００２９】
当接部材２４は、枠体２３が蓄電池１の上部に配されたときに、蓄電池１の側面１ｃ，１ｄに直交する鉛直面内において回動可能に支持されている。
当接部材２４は、一方の端部２４ａが枠体２３にヒンジ２６を介して取り付けられており、他方の端部２４ｂには、蓄電池１の突出部３の下面３ａと当接可能な当接部２５が形成されている。
そして、枠体２３が蓄電池１の上面１ｅの上に配されて、当接部材２４が回動して他方の端部２４ｂが下側となると、当接部２５の上面２５ａが蓄電池１の突出部３の下面３ａと当接するように構成されている。
このとき、当接部材２４は、枠体２３に垂下している状態となっている。
【００３０】
取手部２２は、枠体２３の幅方向の両端部２３ａ，２３ａの上方にそれぞれ接合された一対の第１把持部材２７，２７と、一対の第１把持部材２７，２７どうしを連結する第２把持部材２８とを備えている。
一対の第１把持部材２７，２７は、奥行き方向に延びて幅方向からそれぞれ把持可能な棒状の部材２７ａ，２７ａを備えている。
また、第２把持部材２８は、幅方向に延びて奥行き方向から把持可能な棒状の部材で構成されている。
【００３１】
ここで、一対の第１把持部材２７，２７を両手で１つずつ把持することで、両手を使って蓄電池１を運搬することができ、また、一対の第１把持部材２７，２７を２人でそれぞれ１つずつ把持することで、１つの蓄電池１を２人で運搬することができる。
また、第２把持部材２８を片手で把持することで、蓄電池１を片手で運搬することができ、第２把持部材２８を両手で把持することで両手を使って蓄電池１を運搬することができる。
【００３２】
次に、上述した第２実施形態による蓄電池運搬冶具２０を使用した蓄電池１の運搬方法について説明する。
まず、蓄電池１の上部に枠体２３が位置するように蓄電池運搬冶具２０を設置する。このとき、枠体２３の内部に、蓄電池１の端子２などの部材が入った状態とする。
【００３３】
続いて、当接部材２４の当接部２５が蓄電池１の突出部３の下方になるように当接部材２４を回動させる。
そして、第１把持部材２７または、第２把持部材２８を把持して蓄電池運搬冶具２０を持ち上げることで、当接部材２４の当接部２５の上面２５ａが蓄電池１の突出部３の下面３ａと当接し、蓄電池運搬冶具２０とともに蓄電池１が持ち上がるため、蓄電池１を運搬することができる。
【００３４】
第２実施形態による蓄電池運搬冶具２０によれば、支持部２１で蓄電池１を支持して取手部２２を把持して蓄電池１を運搬することができるため、効率的に蓄電池１を運搬することができる。
また、第２実施形態では、取手部２２が２種類の把持部材２７，２８を備えているため、蓄電池１の搬入路の状況により、１人の作業者が第２把持部材２８を片手で持ったり、一対の第１把持部材２７，２７を両手で持ったり、また、２人の作業者が一対の第１把持部材２７，２７をそれぞれ１つずつ持ったりして蓄電池１を運搬することができる。
【００３５】
（第３実施形態）
図８および図９に示すように、第３実施形態による蓄電池運搬冶具３０は、内部に蓄電池１（図９参照）が挿入可能な支持部３１と、支持部３１に接合された取手部３２と、を備えている。
【００３６】
支持部３１は、開口された第１側部３３ａから内部に蓄電池１が挿入可能な枠体３３と、枠体３３に支持されて蓄電池１の下面１ｆ（図９参照）と当接可能な一対の当接部材３４，３４と、枠体３３の第１側部３３ａと対向する第２側部３３ｂに設けられて第２側部３３ｂから蓄電池１が脱落することを防止する脱落防止部材３６と、を備えている。
枠体３３は、内部に蓄電池１が挿入されたときに、蓄電池１の側面１ｃ，１ｄ（図９参照）の側方にそれぞれ位置する一対の第１枠材３３ｃ，３３ｃと、一対の第１枠材３３ｃ，３３ｃを連結する第２枠材３３ｄと、を備えている。
【００３７】
図９に示すように、本実施形態では、第１枠材３３ｃは、内部が開口した長方形の枠状で、その幅寸法が蓄電池１の奥行き寸法と略同じとなり、高さ寸法が、蓄電池１の高さ寸法（蓄電池１の下面１ｆから上面１ｅに設けられた端子（不図示）などの部材の上端部までの高さ）よりも長くなるように形成されている。
また、第２枠材３３ｄは、枠体３３の内部に蓄電池１が挿入されたときに、蓄電池１の後面１ｂの下端部に沿って延びる棒状に形成されている。
【００３８】
一対の当接部材３４，３４は、それぞれ第１枠材３３ｃに支持され、枠体３３の内部に蓄電池１が挿入されたときに、上面３５ａが蓄電池１の下面１ｆと当接可能な当接部３５を備えている。
そして、当接部材３４，３４は、枠体３３に対して、当接部３５が第１側部３３ａから第２側部３３ｂ側に向かって下側に傾斜するように形成されている。
【００３９】
脱落防止部材３６は、第２枠材３３ｄの上方で、枠体３３の内部に蓄電池１が挿入されたときに、蓄電池１の後面１ｂと当接可能な高さにおいて第２枠材３３ｄと平行に延びる棒状に形成され、両端部がそれぞれ第１枠材３３ｃに接合されている。
なお、脱落防止部材３６は、蓄電池１の後面１ｂを支持可能な形態であれば、形状や個数は任意に設定されてよい。
【００４０】
取手部３２は、第１側部３３ａの上端部に設けられ、一対の第１枠材３３ｃ，３３ｃ間に架設された棒状に形成されている。
このため、取手部３２は、支持部３１が蓄電池１を支持している状態の支持部３１および蓄電池１の重心よりも枠体３３の第１側部３３ａ側の位置に設けられている。
【００４１】
第３実施形態では、取手部３２は、枠体３３の第１側部３３ａ側に接合されている。このため、取手部３２を把持して蓄電池運搬冶具３０を持ち上げると、第１側部３３ａ側が第２側部３３ｂ側よりも上方となるように傾斜する。
【００４２】
次に、上述した第３実施形態による蓄電池運搬冶具３０を使用した蓄電池１の運搬方法について説明する。
まず、蓄電池１の後面１ｂ側に蓄電池運搬冶具３０を置き、蓄電池１を後面１ｂが斜め上側を向くように傾ける。そして、傾いて浮いた蓄電池１の後面１ｂ下側に蓄電池運搬冶具３０を滑りこませる。このとき、蓄電池１の下側に当接部材３４の当接部３５が滑り込むことになる。
そして、蓄電池１の奥行きに対して半分以上当接部材３４の当接部３５を滑り込ませる。
【００４３】
続いて、蓄電池１の後面１ｂ側を下ろして蓄電池１を当接部３５の上面３５ａに乗せた状態とする。このとき、蓄電池１がその奥行きの半分以上が枠体３３の内部に挿入された状態となる。
続いて、蓄電池運搬冶具３０を蓄電池１とともに枠体３３の第２側部３３ｂ側が下方を向くように傾斜させ、蓄電池１を滑らせて枠体３３の内部に挿入する。
このとき、枠体３３の第２側部３３ｂに脱落防止部材３６が設けられているため、蓄電池１が第２側部３３ｂ側から脱落することがない。
【００４４】
そして、取手部３２を把持して蓄電池運搬冶具３０を持ち上げることで、蓄電池運搬冶具３０とともに蓄電池１が持ち上がり運搬可能となる。
このとき、取手部３２が枠体３３の第１側部３３ａ側に設けられているとともに、蓄電池１の下面１ｆと当接して蓄電池１を支持する当接部３５が枠体３３に対して傾斜していることにより、蓄電池運搬冶具３０は、持ち上げられると、第２側部３３ｂ側が下側となる向きに傾斜するため、蓄電池運搬冶具３０から蓄電池１が外れることを防止することができる。
【００４５】
第３実施形態による蓄電池運搬冶具３０によれば、支持部３１で蓄電池１を支持して取手部３２を把持して蓄電池１を運搬することができるため、効率的に蓄電池１を運搬することができる。
また、当接部材３４は、蓄電池１の下面１ｆと当接し、蓄電池１を下側から支持することができるため、第１実施形態および第２実施形態のように、蓄電池１の側面１ｃ，１ｄに突出部３（図１参照）が形成されていない場合でも使用することができる。
また、蓄電池運搬冶具３０を蓄電池１に装着するときは、蓄電池運搬冶具３０および蓄電池１を傾斜させながら行うため、蓄電池１の重量が比較的重い場合でも、蓄電池運搬冶具３０を蓄電池１に容易に装着することができる。
【００４６】
以上、本発明による蓄電池運搬冶具の実施形態について説明したが、本発明は上記の実施形態に限定されるものではなく、その趣旨を逸脱しない範囲で適宜変更可能である。
例えば、上述した第２実施形態では、第１把持部材２７および第２把持部材２８を備えているが、いずれか１つの把持部材を備える構成としてもよい。
【符号の説明】
【００４７】
１  蓄電池
１ｃ，１ｄ  側面
２  端子
３  突出部
３ａ  下面
１０，２０，３０  蓄電池運搬冶具
１１，２１，３１  支持部
１２，２２，３２  取手部
１３，２３，３３  枠体
１４，２４，３４  当接部材
３３ａ  第１側部
３３ｂ  第２側部
３６  脱落防止部材
【図１】
2013020754.tif 000003
【図２】
2013020754.tif 000004
【図３】
2013020754.tif 000005
【図４】
2013020754.tif 000006
【図５】
2013020754.tif 000007
【図６】
2013020754.tif 000008
【図７】
2013020754.tif 000009
【図８】
2013020754.tif 000010
【図９】
2013020754.tif 000011